(57)【特許請求の範囲】
【請求項１】
容器本体の口部に装着され、注出される内容液を案内する注出リップを有するキャップ本体と、注出リップを覆ってキャップ本体に開閉可能な上蓋とからなる注出キャップであって、
キャップ本体は、口部に嵌合固定される嵌合筒部と、嵌合筒部の内周縁に連設され容器内部を密閉する隔壁と、隔壁に注出口を形成すべく破断可能に設けられた薄肉弱化部によって画成された除去部と、除去部周囲の隔壁に立設され内容液を案内する注出リップとを具え、
除去部は、平面視でキャップの軸心を通る注出方向に重なる中央注出線をはさんで両側にそれぞれ注出方向に延びる開口先端部と、各開口先端部から注出方向と反対側に延びる中央注出線に平行な長孔形状を有する２つの部分とからなり、
注出リップには、各開口先端部の略注出方向延長線上に略Ｖ字状の流路断面を形成するくちばし部が設けられ、
両開口先端部の間には、中央注出線の両側にまたがって配置され注出リップに連設する分流壁が隔壁に立設され、
分流壁は、キャップの軸心付近から注出方向に略扇状に広がり、両くちばし部の間で注出リップと略同じ高さを有していることを特徴とする注出キャップ。
【請求項２】
各開口先端部には、単一のプルリングに連設される支柱が立設されていることを特徴とする請求項１記載の注出キャップ。
【請求項３】
上蓋がヒンジを介してキャップ本体に連設されているヒンジキャップであることを特徴とする請求項１または２に記載の注出キャップ。
【請求項４】
キャップ本体の嵌合筒部の上部に立設された蓋係合部に外周側に突出する膨出部が設けられ、上蓋には頂壁の周縁から垂設される外周壁の下部内周面に、閉蓋時に膨出部に嵌合する係合凹部が設けられており、
蓋係合部の内周側に突出する環状のシール突片と、シール突片に当接する環状のシール面を外周面とし、係合凹部の上方の外周壁に垂設されたシール受け壁とが設けられていることを特徴とする請求項３記載の注出キャップ。
【発明の詳細な説明】
【技術分野】
【０００１】
本発明は、容器の口部に装着され、注出する内容液を案内する注出リップを有する注出キャップに関し、とくに、注出量を調節しやすく、かつ広い範囲に万遍なく振りかけることができる注出キャップに関するものである。
【背景技術】
【０００２】
従来、ドレッシングなどの調味料の容器において、内容液を収容した容器本体の口部に装着されたキャップ本体に、プルリング等を具え、破断可能な薄肉弱化部によって画成された開口予定部と、薄肉弱化部の周囲に配置され開口から流出する内容液を案内する注出筒とを設け、注出筒を覆ってキャップ本体と開閉可能な上蓋を具える注出キャップはよく知られている。
【０００３】
そして、注出する内容液の量を調節しやすいように、先端部に流路断面がＶ字型形状を有するくちばし形状部分を設けた注出筒を有し、くちばし形状部分より下方の周状シール部分と上蓋のリング状シール部分とで閉蓋時のシール部を形成する注出筒付きキャップも従来より知られている（例えば、特許文献１参照）。
【先行技術文献】
【特許文献】
【０００４】
【特許文献１】特開２００３−４０２９９号公報
【発明の概要】
【発明が解決しようとする課題】
【０００５】
しかしながら、上記特許文献１記載の注出筒付きキャップでは、くちばし形状部分のＶ字型流路形状により流出する液量の調節が容易で、微少量の液注出が可能であるが、注出する対象範囲が広い場合には効率的でなかった。
とくに、ドレッシング等のように、サラダ等の対象物に少量を万遍なく振りかける場合には注出に時間がかかる。逆に、短時間に注出しようとして大量の液を部分的に振りかけてしまうと、対象物に万遍なく均一に注出することができないという問題があった。
また、くちばし形状部分を大きくとろうとすると、くちばし形状部分より下方の注出筒内面と上蓋のリング状シール部とで形成するシール部が下方まで延びてしまい、キャップ全体を大きくしてしまうという問題もあった。
【０００６】
本発明は、上記問題を解決することを課題とし、注出量の調節が容易で内容液を微少量注出することができるとともに、広い範囲に万遍なく振りかけて効率的に注出することができる注出キャップを提供することを目的とする。
【課題を解決するための手段】
【０００７】
本発明は、上記の課題を解決するため、注出キャップとして、容器本体の口部に装着され、注出される内容液を案内する注出リップを有するキャップ本体と、注出リップを覆ってキャップ本体に開閉可能な上蓋とからなる注出キャップであって、キャップ本体は、口部に嵌合固定される嵌合筒部と、嵌合筒部の内周縁に連設され容器内部を密閉する隔壁と、隔壁に注出口を形成すべく破断可能に設けられた薄肉弱化部によって画成された除去部と、除去部周囲の隔壁に立設され内容液を案内する注出リップとを具え、除去部は、平面視でキャップの軸心を通る注出方向に重なる中央注出線をはさんで両側にそれぞれ注出方向に延びる開口先端部と、各開口先端部から注出方向と反対側に延びる中央注出線に平行な長孔形状を有する２つの部分とからなり、注出リップには、各開口先端部の略注出方向延長線上に略Ｖ字状の流路断面を形成するくちばし部が設けられ、両開口先端部の間には、中央注出線の両側にまたがって配置され注出リップに連設する分流壁が隔壁に立設され、分流壁は、キャップの軸心付近から注出方向に略扇状に広がり、両くちばし部の間で注出リップと略同じ高さを有していることを特徴とする構成を採用する。
【０００８】
注出キャップの具体的実施形態として、各開口先端部には、単一のプルリングに連設される支柱が立設されていることを特徴とする構成、上蓋がヒンジを介してキャップ本体に連設されているヒンジキャップであることを特徴とする構成、また、キャップ本体の嵌合筒部の上部に立設された蓋係合部に外周側に突出する膨出部が設けられ、上蓋には頂壁の周縁から垂設される外周壁の下部内周面に、閉蓋時に膨出部に嵌合する係合凹部が設けられており、蓋係合部の内周側に突出する環状のシール突片と、シール突片に当接する環状のシール面を外周面とし、係合凹部の上方の外周壁に垂設されたシール受け壁とが設けられていることを特徴とする構成を採用する。
【発明の効果】
【０００９】
本発明の注出キャップは、除去部が、平面視でキャップの軸心を通る注出方向に重なる中央注出線をはさんで両側にそれぞれ注出方向に延びる開口先端部を有し、注出リップには、各開口先端部の略注出方向延長線上に略Ｖ字状の流路断面を形成するくちばし部が設けられ、両開口先端部の間には、中央注出線の両側にまたがって配置され注出リップに連設する分流壁が隔壁に立設されているから、それぞれの開口先端部によって開口される先端注出口から注出される内容液は、分流壁によって合流することなく各くちばし部から二筋状に流出し、くちばし部の略Ｖ字状の流路断面によって調節された少量の内容液が広範囲に注出され、対象物に効率よく万遍なく振りかけることができる。
【００１０】
また、蓋係合部の内周側に突出する環状のシール突片と、シール突片に当接する環状のシール面を外周面とし、係合凹部の上方の外周壁に垂設されたシール受け壁とが設けられている実施形態の注出キャップでは、シール部を蓋係合部と係合凹部に近接した部位にコンパクトにまとめられているため、従来例のように長いリング状シール部や全周にわたって下方に延びた注出筒などを必要とせず、コンパクトで安価な注出キャップとすることができる。
【図面の簡単な説明】
【００１１】
【図１】注出キャップの実施例の（上蓋を省略した）要部を示す斜視図である。
【図２】（ａ）は実施例注出キャップの閉蓋状態を示す側面断面図、（ｂ）は同開蓋状態を示す要部上面図である。
【図３】実施例注出キャップを抜栓して隔壁から除去部を分離した状態を示す斜視図である。
【図４】実施例注出キャップを使用した容器を傾けて内容液を注出する状態を示す斜視図である。
【発明を実施するための形態】
【００１２】
次に、本発明の注出キャップについて、実施例を示した図面を参照して説明する。
【実施例】
【００１３】
図１〜４において、Ａはキャップ本体、Ｂはキャップ本体ＡにヒンジＣを介して連設された上蓋、Ｄは容器本体である。
容器本体Ｄには内容液ｅが収容され、内容液ｅの流出路となる筒状の口部１の外周には、環状に突出する係合突条２が設けられている。
【００１４】
図２に示すように、キャップ本体Ａは、口部１に嵌合固定される嵌合筒部５と、嵌合筒部５の内周縁に連設され容器内部を密閉する隔壁６と、隔壁６の上部に立設され内容液ｅを案内する注出リップ７と、嵌合筒部５の外周に所定の間隔を置いて連設され、上端外周の所定箇所でヒンジＣに連設された外周筒部８とからなっている。
【００１５】
嵌合筒部５は、口部１に嵌合する嵌合溝１０を挟んだ外周側の外筒１１および内周側の内筒１２、嵌合溝１０の上部で外筒１１と内筒１２を連設する上壁１３とを具え、外筒１１の下部内周側には係合突条２に係合して口部１と嵌合溝１０の嵌合状態を維持する縮径部１４が設けられている。
外筒１１の下端部外周と外周筒部８の下端部内周とは、ヒンジＣ側で破断可能な弱化片１７を介して連設し、ヒンジＣの反対側で破断不能な連結部１８を介して連設している。
上壁１３の上部には、蓋係合部２０が環状に立設され、蓋係合部２０の先端部には、外周側に膨出部２１が突出し、内周側には斜め上方に向けて環状のシール突片２２が突出している。
【００１６】
嵌合筒部５の内周縁、すなわち内筒１２の内周縁には、容器内部を密閉する隔壁６が連設し、隔壁６には、破断可能に設けられた薄肉弱化部２５によって画成された除去部２６が設けられている。
除去部２６は、平面視でヒンジＣの中央と注出キャップの軸心Ｐを通る中央注出線Ｍ−Ｍをはさんだ両側に、それぞれ中央注出線Ｍ−Ｍに平行な図中矢印Ｙで示す注出方向に延びる２つの長孔状の除去部２６ａ，２６ｂからなっている。
【００１７】
除去部２６ａ，２６ｂのヒンジＣと反対側には、プルリング２８に連設する支柱２９が立設され、プルリング２８を引き上げることによって薄肉弱化部２５が破断し、除去部２６ａ，２６ｂが除去されて注出口Ｓ（Ｓａ，Ｓｂ）が開口するようになっている（図３参照）。
なお、本実施例では除去部２６を２つに分かれた長孔状の除去部２６ａ，２６ｂとしたが、除去部２６の注出方向先端部分である開口先端部３１が中央注出線Ｍ−Ｍをはさんで両側に２つに分かれていればよく、ヒンジＣ側で連結して一体の除去部２６であってもよい。
【００１８】
除去部２６ａ，２６ｂの間には、中央注出線Ｍ−Ｍの両側にまたがるように分流壁３０が隔壁６に立設され、分流壁３０は、キャップの軸心Ｐ付近から注出方向に略扇状に広がり、注出リップ７に連設している。
分流壁３０の高さは、除去部２６ａ，２６ｂのヒンジＣと反対側の（支柱２９が設けられた）部位付近、すなわち、内容液を注出する注出口Ｓの注出方向先端部を形成する開口先端部３１ａ，３１ｂ付近において、少なくとも注出する液が合流しない程度の高さが必要であり、注出リップ７に連設する連設部３２では、注出リップ７と略同じかより高い高さかを有していることが望ましい。
また、分流壁３０は隔壁６の一部としてほぼ同一の肉厚で形成され、その容器側は空洞となっている。
【００１９】
本実施例では、分流壁３０は、キャップの軸心Ｐ付近から傾斜をもって徐々に高くなり、開口先端部３１ａ，３１ｂに並ぶ付近では注出リップ７と同じ高さになって連設部３２まで同じ高さを維持している。
なお、本実施例の分流壁３０は、キャップ軸心Ｐから立ち上がっているが、開口先端部３１ａ，３１ｂ付近で注出する液が合流しない程度の高さがあれば、立ち上がり位置は必ずしもキャップ軸心Ｐに一致しなくともよい。
【００２０】
注出リップ７は、除去部２６を囲むように、ヒンジＣと反対側を中央として軸心Ｐまわりの中心角θの範囲で隔壁に立設されている。
中心角θは、除去部２６の形状により適宜決定され、通常の注出筒のように全周に設けられても良いが、本実施例では約２４０°の範囲に設定されている。
注出リップ７には、各開口先端部３１ａ，３１ｂの注出方向延長線上ないしは該注出方向延長線に近接して略Ｖ字状の流路断面を形成するくちばし部３５ａ，３５ｂが設けられ、両くちばし部３５ａ，３５ｂの間に分流壁３０との連設部３２が形成されている。
本実施例では、くちばし部３５は分流壁３０で隔てられた両側に一つずつ設けられているが、それぞれ複数設けられていてもよく、くちばし部３５の流路断面のＶ字の角度も内容物等に応じて適宜決定できる。
【００２１】
図２（ａ）に示すように、上蓋Ｂは天面を形成する頂壁４０と、頂壁４０の周縁から垂設され下部外周の所定位置でヒンジＣに連設する外周壁４１とからなる。
外周壁４１の下部内周には、キャップ本体Ａの膨出部２１に嵌合する係合凹部４３が設けられ、係合凹部４３の上方の外周壁４１には、シール突片２２に当接する環状のシール面４５を外周面とするシール受け壁４４が垂設されている。
外周壁４１の下部外周には、ヒンジＣと反対側に手指をかける摘み４７が突設されている。
【００２２】
本実施例の注出キャップは、上蓋ＢがヒンジＣを介してキャップ本体Ａに連設されているヒンジキャップとしたが、本発明はヒンジキャップに限定されず、上蓋がねじ等の連結機構によってキャップ本体Ａに開閉可能に装着される形式のものであってもよい。
また、本実施例では、使用後に容器本体Ｄと分別廃棄するために、嵌合筒部５の外周に弱化片１７および連結部１８により間隔をおいて連結された外周筒部８を設けたが、これらの分別廃棄のための構造は必ずしも必要ではない。
【００２３】
次に、本実施例の使用態様と作用効果について説明する。
本実施例の注出キャップは、キャップ本体Ａ、上蓋Ｂ、ヒンジＣが一体に成形された後閉蓋され、嵌合溝１０が容器本体Ｄの口部１にあてがわれて上方から押圧され打栓される。
図２（ａ）に示されるように、打栓された注出キャップは、縮径部１４が係合突条２に係合して口部１に装着固定される。
【００２４】
注出キャップが装着された容器を使用するには、上蓋Ｂを開蓋し、プルリング２８に手指をかけて引き上げる。
プルリング２８を引き上げる力は支柱２９を介して除去部２６に伝わり、開口先端部３１側の薄肉弱化部２５が破断を始める。
さらに、プルリング２８を引き上げていくと、薄肉弱化部２５が完全に破断して除去部２６が隔壁６から分離され、図３に示されるように注出口Ｓ（Ｓａ，Ｓｂ）が開口する。
【００２５】
図４に示すように、注出口Ｓ（Ｓａ，Ｓｂ）が開口した容器を傾けると、内容液ｅは注出口Ｓａ，Ｓｂの注出方向先端部側から流出し始めるが、流出した内容液ｅは分流壁３０によって合流せず、それぞれくちばし部３５ａ，３５ｂを通って対象物に向けて注出される。
このとき、くちばし部３５（３５ａ，３５ｂ）の流路断面は略Ｖ字状をなしているので、少量ずつ注出するように容器の傾きを容易に調節することができる。
また、注出口Ｓは注出方向に長い長孔形状をなしているので、開口先端部３１の反対側（ヒンジＣ側）が空気置換を速やかに行い、脈動なく円滑に少量の内容液を注出することができる。
そのため、本実施例の注出キャップを装着した容器を使用すれば、少量づつ、かつ万遍なく内容液を広い範囲に注出することができる。
【００２６】
容器を使用した後に上蓋Ｂを閉じれば、キャップ本体Ａの蓋係合部２０と上蓋Ｂの係合凹部４３が嵌合して、注出キャップは閉蓋状態が維持される。
このとき、シール突片２２の先端部とシール受け壁４４のシール面４５が当接し、注出キャップはリシールされて容器内部が密閉される。
本実施例では、シール部がキャップ本体Ａと上蓋Ｂとの係合構造をなす蓋係合部２０と係合凹部４３に近接した部位にコンパクトにまとめられているため、注出筒等の設計自由度が高く、コンパクトで安価な注出キャップとすることができる。
【００２７】
本実施例の注出キャップは、使用を終えた容器から容易に分別廃棄することができる。
開蓋し上蓋Ｂを引き上げることにより、ヒンジＣを介して外周筒部８が引き上げられ、外筒１１との間の弱化片１７が破断する。
さらに上蓋Ｂを引き上げると、連結部１８によって外周筒部８と一体に連結しているヒンジＣと反対側の外筒１１がめくれ上がって変形し、ついには容器本体Ｄの口部１から離脱して注出キャップを分別廃棄することができる。
【産業上の利用可能性】
【００２８】
本実施例の注出キャップは、注出量の調節が容易で内容液を微少量注出することができるとともに、広い範囲に万遍なく振りかけて効率的に注出することができるので、調味料などの容器のキャップに広く利用することができ、とくにドレッシングなどの均一に振りかけることが求められる調味料の容器に使用して好適である。
【符号の説明】
【００２９】
Ａ                    キャップ本体
Ｂ                    上蓋
Ｃ                    ヒンジ
Ｄ                    容器本体
Ｐ                    キャップの軸心
Ｓ（Ｓａ，Ｓｂ）      注出口
ｅ                    内容液
１                    口部
２                    係合突条
５                    嵌合筒部
６                    隔壁
７                    注出リップ
８                    外周筒部
１０                  嵌合溝
１１                  外筒
１２                  内筒
１３                  上壁
１４                  縮径部
１７                  弱化片
１８                  連結部
２０                  蓋係合部
２１                  膨出部
２２                  シール突片
２５                  薄肉弱化部
２６（２６ａ，２６ｂ）  除去部
２８                  プルリング
２９                  支柱
３０                  分流壁
３１（３１ａ，３１ｂ）  開口先端部
３２                  連設部
３５（３５ａ，３５ｂ）  くちばし部
４０                  頂壁
４１                  外周壁
４３                  係合凹部
４４                  シール受け壁
４５                  シール面
４７                  摘み
【図１】
0006415311.tif 000002
【図２】
0006415311.tif 000003
【図３】
0006415311.tif 000004
【図４】
0006415311.tif 000005